(57)【特許請求の範囲】
【請求項１】
下向きに延設されたステムに結合するハブと、前記ハブを中心に放射状に延設された複数のスポークと、これらのスポークの延端と結合する環状のリムと、を有する下向きハンドルに取付けられるハンドル操作工具であって、
それぞれの前記下向きハンドルのスポークに下方から係止可能な複数の係止部と、
前記複数の係止部のそれぞれが軸方向の一端部に接合され、前記係止部が前記スポークに係止されることで、前記下向きハンドルのステムの軸方向に延設された状態となる延長用ステムと、
前記延長用ステムの前記係止部が接合された一端部とは反対側の他端部に結合された補助ハブ、前記補助ハブを中心に放射状に延びる複数の補助スポーク、及び、前記補助スポークの延端と結合する環状の補助リムを備え、前記下向きハンドルに前記延長用ステム及び前記係止部を介して回転を伝達する補助ハンドルとを有することを特徴とするハンドル操作工具。
【請求項２】
前記係止部は、前記延長用ステムの軸方向に沿って延設されて下部が前記延長用ステムに接合されるロッド部と、このロッド部に設けられて前記スポークに対して前記ハンドルの周方向の移動が規制されるように係止可能なフック部とを備えることを特徴とする請求項１記載のハンドル操作工具。
【請求項３】
前記フック部は、前記ロッド部の軸方向に対して略垂直に延設されると共にその先端に前記補助ハンドル側に向かって屈曲された係止爪が設けられていることを特徴とする請求項２記載のハンドル操作工具。
【請求項４】
前記フック部は、前記ロッド部に対して、前記延長用ステムの回転方向の前後に設けられていることを特徴とする請求項２又は３のいずれかに記載のハンドル操作工具。
【請求項５】
前記補助ハンドルのリムの径が、前記下向きハンドルの前記リムの径とほぼ同じに形成されていると共に、前記補助ハンドルの補助スポークの数や間隔が、前記下向きハンドルのスポークの数や間隔と同じに形成されていることを特徴とする請求項１乃至４のいずれかに記載のハンドル操作工具。
【発明の詳細な説明】
【技術分野】
【０００１】
本発明は、手動式バルブ等を開閉するために設けられた下向きハンドルを操作するために用いられるハンドル操作工具に関する。
【背景技術】
【０００２】
発電所には、配管ルートの都合上、頭上の配管にハンドルが下向きに取り付けられている手動式バルブがある。このような手動式バルブのハンドル１００は、図１１（ａ）に示されるように、下向きに延設されたステム９９に結合するハブ１０１と、このハブ１０１を中心に放射状に延設された複数のスポーク１０２と、これらスポーク１０２の延端に結合する環状のリム１０３と、を有して構成されているもので、ハンドル１００を操作する場合には、作業員が上向きの体勢で操作するか、脚立に乗って操作するようにしている（特許文献１参照）。
【０００３】
通常、このようなハンドル１００の操作は、図１１（ｂ）に示されるように、丸型ウィルキー２００などをハンドルの下方からスポーク１０２やリム１０３を跨ぐように取り付け、体を上向きに反らせた状態でウィルキー２００を手で握り、その状態で力を入れてハンドル１００をウィルキー２００を介して回すようにしている。
【先行技術文献】
【特許文献】
【０００４】
【特許文献１】特開２０１０−２５３６２９号公報
【発明の概要】
【発明が解決しようとする課題】
【０００５】
しかしながら、上向きの体勢での操作や脚立に乗っての操作では、ハンドルの操作に力が十分に入らないため、バルブの開閉に時間を要しており、また、無理な体勢で力をかける必要があるため、転倒したり脚立から落下したりする等の災害の危険を有していた。
【０００６】
本発明は、係る事情に鑑みてなされたものであり、下方に向けて設けられた手動式ハンドルに対して、通常の床面に設けられた手動式バルブの上向きハンドルと同様に下向き作業を行なうことができ、無理な体勢をとることなく、操作に十分な力をかけることが可能なバルブ操作工具を提供することを主たる課題としている。
【課題を解決するための手段】
【０００７】
上記課題を達成するために、本発明に係るバルブ操作工具は、下向きに延設されたステムに結合するハブと、前記ハブを中心に放射状に延設された複数のスポークと、これらのスポークの延端と結合する環状のリムと、を有する下向きハンドルに取付けられるハンドル操作工具であって、それぞれの前記下向きハンドルのスポークに下方から係止可能な複数の係止部と、前記複数の係止部のそれぞれが軸方向の一端部に接合され、前記係止部が前記スポークに係止されることで、前記下向きハンドルのステムの軸方向に延設された状態となる延長用ステムと、前記延長用ステムの前記係止部が接合された一端部とは反対側の他端部に結合された補助ハブ、前記補助ハブを中心に放射状に延びる複数の補助スポーク、及び、前記補助スポークの延端と結合する環状の補助リムを備え、前記下向きハンドルに前記延長用ステム及び前記係止部を介して回転を伝達する補助ハンドルとを有することを特徴とする。
【０００８】
したがって、下向きハンドルのそれぞれのスポークに係止部を下方からアプローチして係止すれば、この係止部に結合するステムが下方に延びて補助ハンドルを作業者の上半身又はそれより下方に位置させることができ、作業者は、床面に設けられた手動式バルブの上向きハンドルを操作する感覚で作業することが可能となる。
【０００９】
前記係止部は、下向きハンドルのスポークに下方から容易に係止するために、前記延長用ステムの軸方向に沿って延設されて下部が前記延長用ステムに接合されるロッド部と、このロッド部に設けられて前記スポークに対して前記ハンドルの周方向の移動が規制されるように係止可能なフック部とを備えて構成することが望ましい。
ここで、前記フック部は、前記ロッド部の軸方向に対して略垂直に延設されると共にその先端に前記補助ハンドル側に向かって屈曲された係止爪を設けるとよい。
【００１０】
また、バルブの開操作に加えて閉操作をも同じハンドル操作工具で行なうためには、前記フック部を、前記ロッド部に対して、前記延長用ステムの回転方向の前後に設けることが好ましい。
このような構成においては、前後のいずれかのフック部を選択して下向きハンドルのスポークに係止させることができるので、ハンドルの開操作または閉操作に合わせて係止させるフック部を選択すればよい。
【００１１】
また、前記補助ハンドルのリムの径が、前記下向きハンドルの前記リムの径とほぼ同じに形成されていると共に、前記補助ハンドルの補助スポークの数や間隔が、前記下向きハンドルのスポークの数や間隔と同じに形成されているようにしてもよい。
このような構成とすれば、既存のハンドルを操作するために用いるウィルキーの使用を可能とすることが可能となる。
【発明の効果】
【００１２】
以上述べたように、本発明に係るバルブ操作工具は、下向きハンドルのそれぞれのスポークに下方から係止可能な複数の係止部と、それぞれの係止部に接合され、下向きハンドルのステムの軸方向に延設された延長用ステムと、この延長用ステムの前記係止部が接合された側とは反対側の端部に設けられた補助ハンドルとを有するので、下向きのハンドルのそれぞれのスポークに係止部を下方からアプローチして係止すれば、補助ハンドルを作業者の上半身又はそれより下方に位置させることができ、作業者は、通常の床面に設けられた手動式バルブの上向きハンドルと同様の感覚で下向き作業を行なうことが可能となる。このため、無理な体勢をとることなく、操作に十分な力をかけることが可能となると共に、転倒したり脚立から落下したりする等の災害の危険を無くすことが可能となる。
【図面の簡単な説明】
【００１３】
【図１】図１（ａ）は、本発明に係るハンドル操作工具を示す斜視図であり、図１（ｂ）は、係止部のフック部を示す拡大図である。
【図２】図２は、本発明に係るハンドル操作工具を下向きハンドルに係止させた状態を示す斜視図である。
【図３】図３は、本発明に係るハンドル操作工具を下向きハンドルに係止させて作業者が作業をする状態を示す斜視図である。
【図４】図４は、本発明に係るハンドル操作工具の係止部の変形例を示す図であり、（ａ）はその側面図、（ｂ）はその斜視図である。
【図５】図５は、本発明に係るハンドル操作工具の係止部の他の変形例を示す図であり、（ａ）はその側面図、（ｂ）はその斜視図である。
【図６】図６は、本発明に係るハンドル操作工具の係止部の更に他の変形例を示す図であり、（ａ）はその側面図、（ｂ）はその斜視図である。
【図７】図７（ａ）は、本発明に係るハンドル操作工具の他の構成例を示す斜視図であり、延長用ステムが、係止部が固定されたアダプタ部と、このアダプタ部に着脱自在に結合し、補助ハンドルが固定されたステム本体とから構成されている例を示し、図７（ｂ）は、係止部のフック部付近を示す拡大側面図である。
【図８】図８は、図７の係止部が固定されたアダプタ部を下向きハンドルに取り付けておく状態を示す斜視図である。
【図９】図９（ａ）は、本発明に係るハンドル操作工具の他の構成例を示す斜視図であり、延長用ステムが、係止部が固定されたアダプタ部と、このアダプタ部に着脱自在に結合し、補助ハンドルが固定されたステム本体とから構成されている他の例を示し、図７（ｂ）は、係止部のフック部を示す拡大側面図である。
【図１０】図１０は、図９の係止部が固定されたアダプタ部を下向きハンドルに取り付けておく状態を示す斜視図である。
【図１１】図１１（ａ）は、従来の下向きハンドルを示す斜視図であり、（ｂ）は、（ａ）の下向きハンドルを操作する状態を示す図である。
【発明を実施するための形態】
【００１４】
以下、本発明に係るハンドル操作工具について、添付図面を参照しながら説明する。
【００１５】
図１及び図２において、ハンドル操作工具１は、下向きハンドル１００又は既存のウィルキー２００と同様の材質で形成されているもので、延長用ステム２と、この延長用ステム２の一端部（図中、上部）に設けられた複数の係止部３と、延長用ステム２の他端部（図中、下部）に設けられた補助ハンドル４とを有して構成されている。
【００１６】
延長用ステム２は、棒状部２１と、この棒状部２１の先端に接合され、外径が既設の下向きハンドル１００のハブ１０１の径と等しいかこれよりやや大きく形成された筒状部２２とから構成されている。
【００１７】
係止部３は、ハンドル１００のスポーク１０２の数に併せた数だけ設けられ（この例では３つ設けられ）、前記延長用ステム２の筒状部２２の外周に溶接等により接合されているもので、筒状部２２より延長用ステム２の軸方向に沿って上方へ延設されたロッド部３１と、このロッド部３１の先端部に一体に形成されたフック部３２とによって構成されている。フック部３２は、ロッド部３１の先端より、延長用ステム２の軸方向と直交する方向であって、筒状部２２の略接線方向に向けて延設され、その先端部に下方に屈曲させた係止爪３２ａが形成されている。
【００１８】
それぞれの係止部３のフック部３２は、ロッド部３１に対してハンドルの周方向で同じ方向に向けて（この例では、手動式バルブを開弁する方向に向けて）形成されている。
【００１９】
フック部３２は、ロッド部３１と一体のものであっても別体のものをロッド部３１に結合するものであってもよいが、接線方向の延設量は、ロッド部３１と係止爪３２ａとの間隔Ａがスポーク１０２の幅Ｂよりも大きく形成されている。また、フック部３２は、スポーク１０２に対する周方向の移動が規制されるように（スポーク１０２に係止した状態を保持するために）、係止爪３２ａの下方への突出量Ｃがスポーク１０２の厚みＤとほぼ等しく形成されている。
【００２０】
補助ハンドル４は、延長用ステム２の棒状部２１の下端に結合する補助ハブ４１と、この補助ハブ４１を中心に放射状に延設された複数の補助スポーク４２と、これら補助スポーク４２の延端に結合する環状の補助リム４３と、を有して構成されている。補助ハンドル４の大きさ（径）は、下向きハンドル１００の大きさ（径）とほぼ同じであり、補助ハンドル４の補助スポーク４２の数や形成間隔も、下向きハンドル１００のスポーク１０２の数や形成間隔と同じに形成されている。
補助ハンドル４の形状は、必ずしも下向きハンドル１００の形状に一致させる必要はないが、近似した形状とすることが好ましく（補助スポークや補助リムが設けられていることが好ましく）、このような形状とすることで、既存のハンドルを操作するために用いるウィルキーの使用を可能とし、床面に設けられた手動式バルブの上向きハンドルと同じ感覚で操作できるようにしている。
【００２１】
以上の構成において、既存の下向きハンドル１００を開弁操作する場合には、ハンドル操作工具１の係止部３を上に向けてハンドル１００の下方から係止部３を近接させ、それぞれのスポーク１０２に係止部３を係止させるためにそれぞれの係止部３をハブ１０１とリム１０３との間の空間に挿入し、係止爪３２ａをスポーク１０２よりも上方に位置させた状態でハンドル操作工具１を延長用ステム２の軸回りに回転させ、フック部３２を各スポーク１０２の上方まで移動させた後にハンドル操作工具１を下方へ移動させ、係止爪３２ａをスポーク１０２に対してロッド部３１と反対側に配置させた状態でフック部３２をスポーク１０２に係止させる。
【００２２】
これによりハンドル操作工具１は、下向きハンドル１００に周方向の移動が規制された状態で取り付けられ、この状態で、図３に示すように、補助ハンドル４の補助スポーク４２や補助リム４３を跨ぐようにウィルキー２００を上方から係合させて操作すればよい。これにより、作業者は、自身の腰や腹部辺りで下向きにウィルキー２００を操作することができ、通常の床面に設けられた手動式バルブの上向きハンドルを操作する感覚で作業を行なうことが可能となる。
このため、無理な体勢をとることなく、操作に十分な力をかけることが可能になると共に、転倒したり脚立から落下したりする等の不都合を無くすことが可能となる。
【００２３】
なお、上述の構成においては、下向きハンドル１００を一方向（バイブを開く方向）に回動させることだけを想定した構成であるが、下向きハンドル１００を逆方向（バルブを閉める方向）に回動させる場合にも利用できるようにするために、前記係止部３を図４〜図６に示すように変形させてもよい。
【００２４】
図４においては、フック部３２の係止爪３２ａの下方への突出量Ｃを下向きハンドル１００のスポーク１０２の厚みＤよりも十分に長くし（スポーク１０２の厚みの２倍以上とし）、ハンドル操作工具１の係止部３を図２で示す下向きハンドル１００のスポーク１０２に係止した状態において、補助ハンドル４をバルブの閉方向（係止爪３２ａをスポーク１０２に押し付ける方向）に操作した場合でもフック部３２（係止爪３２ａ）がスポーク１０２から外れることがないようにしている。係止爪３２ａの突出量Ｄをスポークの厚みと同程度とする場合には、延長用ステム２が鉛直に保たれる限りフック部３２（係止爪３２ａ）はスポーク１０２から外れることはないが、作業中に延長用ステム２が鉛直方向から傾いた場合には、補助ハンドル４を逆方向（バルブを閉める方向）に回動させる際にフック部３２（係止爪３２ａ）がスポーク１０２から外れる虞がでてくる。そこで、係止爪３２ａの下方への突出量Ｃを下向きハンドル１００のスポーク１０２の厚みＤよりも十分に長くすることで（スポーク１０２の厚みの２倍以上とすることで）、延長用ステム２が多少傾いた場合でもフック部３２（係止爪３２ａ）がスポーク１０２から外れないようにすることが可能となる。
【００２５】
図５で示す係止部３は、係止爪３２ａの形状を断面矩形（角柱状のもの）から断面円形（円柱状のもの）に変更している。
このような係止爪３２ａの構成とすることで、ハブ１０１からスポーク１０２への移行部分やスポーク１０２からリム１０３への移行部分に係止爪３２ａをフィットさせ易くなる。
【００２６】
図６で示す係止部３は、下向きハンドル１００の両方向（バイブを開く方向のみならず閉じる方向）の回動にも対応させるために、フック部３２，３３を、ロッド部３１に対して、延長用ステム２の回転方向の前後に設けたものである。
【００２７】
すなわち、係止部３を、筒状部２２より延長用ステム２の軸方向に沿って上方へ延設されたロッド部３１と、このロッド部３１の先端部に一体に形成され、延長用ステム２の軸方向と直交する方向であって、筒状部２２の略接線方向の一方側に向けて延設されたフック部３２と、筒状部２２の略接線方向の他方側に向けて延設されたフック部３３とによって構成し、各フック部３２，３３には、その先端部に下方へ屈曲させた係止爪３２ａ、３３ａを形成するようにしている。
【００２８】
このような構成においては、バルブを開操作する場合には、図２で示すように、下向きハンドル１００のハブ１０１とリム１０３の間の空間に係止部３を挿入し、係止爪３２ａをスポーク１０２よりも上方に位置させた状態でハンドル操作工具１を延長用ステム２の軸回りに開方向に回転させ、フック部３２を各スポーク１０２の上方まで移動させた後にハンドル操作工具１を下方へ移動させ、係止爪３２ａをスポーク１０２に対してロッド部３１と反対側に配置した状態でフック部３２をスポーク１０２に係止させる。
【００２９】
これに対して、バルブを閉操作する場合には、下向きハンドル１００のハブ１０１とリム１０３の間の空間に係止部３を挿入し、係止爪３３ａをスポーク１０２よりも上方に位置させた状態でハンドル操作工具１を延長用ステム２の軸回りに閉方向に回転させ、フック部３２を各スポーク１０２の上方まで移動させた後にハンドル操作工具１を下方へ移動させ、係止爪３３ａをスポーク１０２に対してロッド部３１と反対側に配置した状態でフック部３３をスポーク１０２に係止させる。
【００３０】
以上の構成においては、ハンドル操作工具１が、係止部３、延長用ステム２、補助ハンドル４を一体化し、全体として下向きハンドル１００に着脱させて用いるものであったが、図７に示すように、下向きハンドル１００に取り付ける係止部側の部分と補助ハンドル側の部分とを分離可能とし、作業時には、これらを組み付けて用いるようにしてもよい。
【００３１】
すなわち、前記延長用ステム２を、係止部３が固定されたアダプタ部２３と、このアダプタ部２３に着脱自在に結合し、補助ハンドル４が固定されたステム本体２４とから構成し、アダプタ部２３を、円筒状に形成し、その側面に、下端から軸方向に延びる軸方向スリット部２５ａと、この軸方向スリット部２５ａの先端から周方向に沿って両側に延設された周方向スリット部２５ｂとを備えた係合スリット２５を設け、また、それぞれの係止部３を、アダプタ部２３の外周面上部に溶接等により固定するようにしている。
この例において、係合スリット２５は、アダプタ部２３の周壁に等間隔（１２０度間隔）に３つ形成されている。
【００３２】
それぞれの係止部３は、前記構成と同様、アダプタ部２３より軸方向に沿って上方へ延設されたロッド部３１と、このロッド部３１の先端部に一体に形成されたフック部３２とによって構成され、フック部３２は、ロッド部３１の先端より、延長用ステム２の軸方向と直交する方向であって、アダプタ部２３の略接線方向に向けて延設され、その先端部に下方に屈曲させた係止爪３２ａが形成されている。また、係止部３には、ロッド部３１と係止爪３２ａとの間に設けられ、ロッド部側を支点として内側に回動する脱落防止片３５が設けられている。この脱落防止片３５は、その支軸に設けられた図示しないスプリングにより先端部が係止爪３２ａに向かって常時付勢するようになっている。
【００３３】
これに対して、補助ハンドル４が固定されたステム本体２４には、その上端部にアダプタ部２３の係合スリット２５に係合可能な係合ピン２６が径方向に突設されている。この例において、係合ピン２６は、係合スリット２５に合わせて、周面に等間隔に３つ形成されている。
【００３４】
このような構成においては、図８に示されるように、係止部３をアダプタ部２３と共に下向きハンドル１００のスポーク１０２に係止させれば、脱落防止片３５によりスポーク１０２がロッド部３１と係止爪３２ａとの間から外れることがなくなり、ハンドル１００にアダプタ部２３を取り付けた状態を保持することが可能となる。
【００３５】
したがって、下向きハンドル１００にアダプタ部２３を予め取り付けておき、バルブを開閉操作したい場合にのみ、補助ハンドル４が固定されたステム本体２４をアダプタ部２３の下方からアプローチして係合ピン２６を軸方向スリット部２５ａに挿入し、その後、補助ハンドル４を回転させたい方向に回転させて係合ピン２６を周方向スリット部２５ｂの末端まで移動させれば、補助ハンドル４をステム本体２４、アダプタ部２３、係止部３を介してハンドル１００に係止させることが可能となる。
【００３６】
このような構成においては、既設の下向きハンドル１００にアダプタ部２３を常時取り付けておき、バルブを操作したい時に補助ハンドル４が固定されたステム本体２４をアダプタ部２３に取り付ければよいので、下向きハンドル１００のスポーク１０２への係止部３の取り付け作業を省略して作業の効率化を図ることが可能となり、また、ハンドル操作工具１の操作部分（補助ハンドル４とステム本体２４）のみを外して持ち運べばいいので、持ち運ぶ工具の重量を減らすことが可能となり、また、バルブの大きさやスポークの数が異なる場合でもそれぞれの下向きハンドルに常設されるアダプタを共通のものとすることで、補助ハンドル４は共通のものを用いることが可能となる。
【００３７】
図９（ａ）において、係止部３とアダプタ部２３とを一体化した他の構成例が示されている。
この例において、係止部３は、アダプタ部２３より軸方向に沿って上方へ延設されたロッド部３１と、このロッド部３１の先端部から隣り合うロッド部３１に向けて延設された可撓性の係止片３４とから構成され、隣り合うロッド部３１から延設された係止片３４は、互いに先端部で突き合わされて通常時には当接状態が保たれており、アダプタ部２３の軸方向に力が加えられると、図９（ｂ）に示されるように弾性変形して先端部同士が離れるようになっている。なお、他の構成は、図７で示す構成と同様であるので、同一箇所に同一符号を付して説明を省略する。
【００３８】
このような構成においては、図１０に示されるように、隣り合うロッド部３１から延設された互いに当接する係止片３４の当接部分を下向きハンドル１００のスポーク１０２に押し付けて係止片３４を弾性変形させ、それぞれのスポーク１０２を隣り合うロッド部３１、係止片３４、及びアダプタ部２３で囲まれた空間に挿入させれば、既設の下向きハンドル１００にアダプタ部２３を保持させておくことが可能となり、下向きハンドル１００にアダプタ部２３を常時取り付けた状態とすることが可能となる。
【００３９】
そして、バルブを操作したい場合にのみ、補助ハンドル４が固定されたステム本体２４をアダプタ部２３の下方からアプローチして係合ピン２６を軸方向スリット部２５ａに挿入し、その後、補助ハンドル４を回転させたい方に回転させて係合ピン２６を周方向スリット部２５ｂの末端まで移動させれば、補助ハンドル４をステム本体２４、アダプタ部２３、係止部３を介して下向きハンドル１００に取り付けることが可能となる。
【００４０】
なお、以上の構成においては、下向きハンドル１００のスポーク１０２が３つの場合の例を示したが、下向きハンドル１００のスポーク１０２が４つ以上の場合にも、係止部３の数を下向きハンドル１００のスポーク１０２の数に合わせることで同様の構成を採用することが可能となる。この際、補助ハンドル４の補助スポーク４２は、下向きハンドル１００のスポーク１０２の数に合わせても、合わせなくてもよい。
【符号の説明】
【００４１】
１  ハンドル操作工具
２  延長用ステム
３  係止部
４  補助ハンドル
２３  アダプタ部
２４  ステム本体
３１  ロッド部
３２  フック部
３２ａ  係止爪
４１  補助ハブ
４２  補助スポーク
４３  補助リム
９９  ステム
１００  ハンドル
１０１  ハブ
１０２  スポーク
１０３  リム
【図１】
0006638880.tif 000002
【図２】
0006638880.tif 000003
【図３】
0006638880.tif 000004
【図４】
0006638880.tif 000005
【図５】
0006638880.tif 000006
【図６】
0006638880.tif 000007
【図７】
0006638880.tif 000008
【図８】
0006638880.tif 000009
【図９】
0006638880.tif 000010
【図１０】
0006638880.tif 000011
【図１１】
0006638880.tif 000012